(57)【要約】      （修正有）【課題】フロス糸が補充可能なフロスホルダーを使用しての歯間清掃を行う際、備え付けと同種のフロス糸以外の製品を取り付ける使用者側のフロス糸の選択の自由を確保するデンタルフロスホルダーを提供する。【解決手段】消費者が多種あるデンタルフロスの選択幅を狭めずにフロスホルダーの利便性を享受できるようにするため、市場に提供されている様々なフロス糸収納容器の形状に対応できるように容器を改造・変形を伴わず固定できる設計を採用する。固定方法としては固体固有の弾力および固体間の摩擦を利用した方法を用い、具体的な例としてはバネ、ゴムバンド、吸盤等を利用した機構が挙げられ、これらをフロスホルダーの設計に採用する。本フロスホルダーは既存のフロス容器が取り付けられた後、フロス糸が繰り出され、歯間清掃に適する形状に保持される。以上の仕組みにより、フロスホルダー使用時に消費者側の選択の自由が狭められることがない。【選択図】図１
0003175638.tif 000002
【実用新案登録請求の範囲】
【請求項１】
本体構造を構成するパーツのうち、バネ機構、吸盤あるいはゴムバンド等の機構を介して固体特有の物性の弾力性およびこれらの個体間の接触により生じる摩擦作用を利用し、既存の市販されている多様なデンタルフロスの収納容器をその中の一種類に限らず固定し、相対的位置を保持できることを特徴とするデンタルフロスホルダーにおいて、
固定されたデンタルフロス容器からフロス糸が繰り出し可能であり、
繰り出されたフロス糸の導出案内手段は当該デンタルフロスホルダー本体に刻設された案内溝により構成され、
フロス糸の張架部は当該フロスホルダーの上記案内溝が刻設されたフロス糸保持用アームの先端から、使用者の指先による加圧操作により構造の弾性力を利用してフロスホルダーの一部がフロス糸を挟むことによりフロス糸の始端部が固定保持されるグリップを設けられた箇所にまで渡り、
張架部からフロス糸収納容器側の部分のフロス糸を使用者の指先による加圧操作により構造の弾性力を利用してフロスホルダーの一部がフロス糸を挟むことによりフロス糸を固定保持するグリップが設けられた構成となしたことを特徴とするデンタルフロスホルダー。
【請求項２】
前記デンタルフロスホルダーの本体に使用済みフロス糸を切断するための専用フロス糸カッターを設けた請求項１に記載のデンタルフロスホルダー。
【考案の詳細な説明】
【技術分野】
【０００１】
本考案は、デンタルフロスホルダーの設計に関するもので、特にフロス糸のみを使用する場合と比較した場合のフロスホルダー使用の利点を満たしながら使用者側のフロス糸の選択の自由を確保するための設計に関するものである。
【背景技術】
【０００２】
口内衛生を保つ手段として歯ブラシによる歯磨きに加えて歯垢の除去に効果的である他の道具の使用が広まっているが、そのうちの一つであるデンタルフロスについてはその有効性は認められるものの、その使用に当たっては細い糸を手の指に巻きつけて口内の歯間に通して操作する必要があることから生じる不便利な点が存在する。それらの課題の解決を図った既存のフロスホルダーや糸ようじはフロス糸の補充の際に生じる、操作手順の複雑性や部品点数増加によるコスト高等の不便性を伴い、更に市場に多々提供されているデンタルフロスに対する消費者の選択の自由を狭める等、解決の対象となる新たな課題を生じさせている。これらの課題は以下にて説明される。
【考案の概要】
【考案が解決しようとする課題】
【０００３】
フロス糸が補充可能なフロスホルダーを使用しての歯間清掃を行う際、備え付けと同種のフロス糸以外の製品を取り付ける設計はされておらず、違う種類のフロスを使用したい場合に使用者の消費者としての選択の自由が限定される。フロス糸の選択の自由を優先してホルダー付ではないフロスを使用する場合、手の指に巻きつけて清掃を行うことが多いため、実際に歯間清掃に使われる部分より余計に長く消費する必要に加え、十分な張力を確保するため手の指先がうっ血状態になる等の不快感を伴いがちである。
【課題を解決するための手段】
【０００４】
以上に挙げられた課題の解決し、消費者が一種類のフロスホルダーを使用しながらも多種あるデンタルフロスの選択幅を狭めずにフロスホルダー使用の利便性を享受できるようにするため、異なるメーカーより発売されているデンタルフロスが収納されている様々な形状の容器に対応できるように、フロス糸容器の改造・変形を伴わずフロスホルダーに固定できる設計を採用、本考案として提出する。固定方法としては固体固有の弾力および固体間の摩擦を利用した方法を用い、具体的な例としてはバネあるいはゴムバンド、吸盤を利用した機構が挙げられ、これらの仕組みをフロスホルダーの機構に組み込んだ設計を採用する。提案されるフロスホルダーは既存の別売されるデンタルフロスが取り付けられた後、フロス糸が繰り出され、歯間清掃に適する形状に張架部が固定・保持される。フロス糸の張架部の前後に当たる収納部側と始端部はそれぞれフロスホルダーの一部にある機構により挟まれて固定される。以上の仕組みにより歯間清掃を行う場合において、市場に出回っている既存の多種のデンタルフロスに対して消費者側の選択の自由が狭められることなく、なおかつフロスホルダーを使用しない場合の手間と不快感を回避することが本考案の目的である。
【考案の効果】
【０００５】
本考案のデンタルフロスホルダーは市場に提供されている既製のデンタルフロスの収納容器を、特定のものに関わらず本体に固定できる機構を有し、この特長により数多く提供されている商品の中からユーザーが選択の自由を享受できる効果がある。更に指に巻きつけたりすること無くフロス糸を歯間清掃に使用できるようにフロス糸の形状・張力を保つための機構をも有しているので、フロスホルダーなしでフロス糸を使用する際の不便利を解消できるという効果がある。
【図面の簡単な説明】
【０００６】
【図１】本考案のデンタルフロスホルダーの代表的実施例を示す平面図、正面図および断面図
【図２】フロス糸収納箱固定機構のバリエーションの例を２つ示す平面図および正面図。
【考案を実施するための形態】
【０００７】
本考案のデンタルフロスホルダーはフロスホルダー本体および付属部品の構造を構成する固体の物性の剛性・弾力を利用して、特定の種類に限らず数多く存在するデンタルフロスの収納容器をフロスホルダーに固定する機能を有する。図１に図示される例においてフロス糸容器は正面図から見て蓋を上向きにして、（図面にて１に示される）フロス糸容器ホルダーと（２に示される）フロスホルダー本体により挟まれ、これら物体間の接触により生じる摩擦の作用によりフロスホルダーとフロス糸容器間の相対的位置が固定される。図１の例においては３に示される、フロス糸容器ホルダーとフロスホルダー本体をつなぐ可動連結部であるヒンジ機構を利用する。図１の例ではヒンジ構造となっている３には一例としてバネ機構を内蔵されること等が考えられる。また、図２においてはフロス糸収納箱を固定する機構として吸盤およびゴムバンドを利用した二つの実施例が図示されている。
【０００８】
固定されたフロス糸容器は蓋を開けられてフロス糸が繰り出され、図面の７および断面図AA'にて示されるフロス糸形状保持用の溝に取り付けられ（6に示される）フロス糸形状保持アームにより歯間清掃に適した形状が保持される。形状保持用溝に付けられたフロス糸は4に示されているフロス糸収納側グリップにて挟まれ、歯間清掃に供されるフロス糸の容器側の端はこの機構により固定されて緩みを防ぐことができる。フロス糸の先は更に正面図の左端に示される形状保持アーム（6）の先端をとおり、５に示されるフロス糸始端側グリップにまで伸ばされてこれに挟まれて固定される。形状保持アーム先端からフロス糸始端側グリップまでの部分が歯間清掃に供される張架部分となる。以上のようにして張架部分の前後両側が固定され、使用時に必要な形状および張力が確保される。歯間清掃後、使用済みとなったフロス糸は更にフロスホルダーに固定された容器から引き出され、８に示されるフロス糸カッターで切断されて処分される。
【０００９】
図面の図2においては、図1にてバネ内臓のヒンジによりフロス糸収納容器を固定していた方法を、それぞれ吸盤およびゴムバンドに置き換えたものである。吸盤を使う方法においては当該吸盤をフロス糸収納容器の平滑な部分に吸着させて、ゴムバンドを使う方法においては当該ゴムバンドをフロス糸収納容器に巻き、吸盤、ゴムバンドのそれぞれの弾力および接触により生じる摩擦を利用してフロス糸収納容器と当該デンタルフロスホルダーの相対位置を固定する。
【実施例】
【００１０】
本考案の特徴である既存のデンタルフロス容器を固定できる機能を満たす機構のうち、例として付属図面の図１に図示されているバネ機構を内蔵したヒンジを利用した場合について説明する。本考案のデンタルフロスホルダーは図面の３に示されるヒンジを介してフロス糸収納容器ホルダーである１と本体の２がヒンジ部に内蔵されているバネ機構により、ヒンジを基点として開閉できるがこれら二つのパーツ間にフロス糸容器を位置させて挟む。バネの作用により１および２に挟まれたフロス糸容器は摩擦の作用によりフロスホルダーに固定される。固定されたフロス糸容器は蓋を正面図の上方向に向けており、これが開かれて中からフロス糸が正面図の左方向へ使用者により繰り出され、図１の４に示されるフロス糸固定グリップにより挟まれる位置をとおり、歯間清掃のための形状保持用の溝である７に沿って(6に図示されている)形状保持アームに架けられ、正面図から見たときのフロスホルダー本体の左端をまわってそこから図１の５に示されるフロス糸始端保持グリップに挟まれる位置をとおして使用される。フロス糸の歯間清掃に供される部分は正面図の左端の形状保持アーム（6）先端から５のグリップまでに張架された部分であり、その前後のフロス糸は４および５の両グリップにて挟まれて固定されることによりゆるみが防止されて歯間清掃に必要な張力が保持される。使用済みのフロス糸部分は更に容器から引き出されて付属のフロス糸カッター（8）で切断後処分される。以上の説明により使用される、図面に示されるような製品を製造・販売し、市場に提供することが実施の一例としてあげられる。
【産業上の利用可能性】
【００１１】
本考案は、歯間清掃に供されるデンタルフロスホルダーに関し、特定の種類に限らない既存のデンタルフロス容器を取り付け固定できる機能を持ち、使用者がフロスホルダーを使用しない場合に生じる不便利を簡便な操作手順により解消する目的を持つ。以上の特長によりデンタルフロスを使用する消費者の選択の自由と利便性を確保し、両立させる目的を有し提案されるものであり、上記の実施例の項にて説明された、図面に示されるような製品を製造・販売し、市場に提供することが産業上の利用可能性の一例として挙げられる。
【符号の説明】
【００１２】
１：  フロス糸収納容器ホルダー
２：  本体
３：  可動連結部
４：  フロス糸収納部側グリップ
５：  フロス糸始端側グリップ
６：  フロス糸形状保持アーム
７：  フロス糸形状保持溝
８：  フロス糸カッター
９：  フロス糸収納箱ホルダー・吸盤タイプ
１０：  フロス糸収納箱ホルダー・ゴムバンドタイプ
【図１】
0003175638.tif 000003
【図２】
0003175638.tif 000004